(57)【特許請求の範囲】
【請求項１】
被測定者を乗せるための担架部と、
前記担架部を保持する上部測定フレームとその下方に配置された下部測定フレームとを備える上下一対の測定フレーム、前記上下一対の測定フレームの間に設けられて前記上部測定フレーム並びにこれに掛かる荷重を検出可能な荷重センサ、及び、前記上下一対の測定フレームのうちいずれか一方に支持されて前記荷重センサからの検出信号に基づいて被測定者の体重を演算するとともに当該演算結果を体重測定値として表示可能な表示器を有する測定部と、
移動のためのキャスターを有する走行部と、
前記測定部と前記走行部との間に設けられて上下方向に伸縮する昇降部とを、
備えた、ストレッチャー型体重計。
【請求項２】
前記表示器は、略水平方向に回動可能に設けられている、
請求項１に記載のストレッチャー型体重計。
【請求項３】
前記上下一対の測定フレームのうちいずれか一方に固設されて略水平方向に延びるサブフレームと、前記サブフレームに略水平方向に回動可能に設けられたブラケットとを、更に備え、前記ブラケットに前記表示器が取り付けられている、
請求項１又は請求項２に記載のストレッチャー型体重計。
【請求項４】
前記上下一対の測定フレームのうちいずれか一方に前記表示器と共に支持されて、前記表示器の演算結果を印字出力可能なプリンタを、更に備えた、
請求項１〜請求項３のいずれか一項に記載のストレッチャー型体重計。
【請求項５】
前記表示器は、前記下部測定フレームに支持されている、
請求項１〜請求項４のいずれか一項に記載のストレッチャー型体重計。
【発明の詳細な説明】
【技術分野】
【０００１】
本発明は、被測定者の搬送と計量ができるストレッチャー型の体重計に関する。
【背景技術】
【０００２】
従来、病院や介護施設等において、直立が困難な患者や被介護者（以下、「被測定者」という）の体重を計測するために、ストレッチャー型の体重計が使用されている。このようなストレッチャー型体重計は、例えば、特許文献１及び特許文献２に示すように、被測定者を乗せるためのストレッチャーと、前記ストレッチャーを支持する台車と、被測定者が寝ているベッドとストレッチャーとの高さを合わせるために前記台車に備えられた昇降機構と、被測定者の体重を測定するためのロードセル等の荷重センサと、体重計の操作と測定した体重を表示する表示器とを備えている。このようなストレッチャー型体重計で被測定者の体重を測定する際には、ストレッチャー型体重計をベッドサイドまで移動させて、昇降機構でベッドとストレッチャーの高さを合わせ、被測定者が寝ているベッドの側にストレッチャーを寄せて、このストレッチャーに被測定者を移動させ、被測定者の体重を測定する。
【特許文献１】特開昭６３−２０１５３５号公報
【特許文献２】特開２００７−３１９３９８号公報
【発明の開示】
【発明が解決しようとする課題】
【０００３】
特許文献１の第１図及び特許文献２の第１図にも記載されている通り、ストレッチャー型体重計に備えられた表示器は、一般に、ストレッチャーを昇降可能に支持している台車の下部に固定されている。従って、ストレッチャー型体重計の測定作業者は、足下にある表示器で操作を行ったり、測定結果を確認したりすることとなる。
【０００４】
また、従来のストレッチャー型体重計に備えられた表示器は、画面が一方向を向くように台車に固定されている。ところが、病院や介護施設等のベッドは、右側又は左側から乗り降りできるように配置されており、乗り降りの方向は一方向に統一されていない。よって、ストレッチャー型体重計を使用する際には、ベッドの配置に応じてストレッチャー型体重計の方向を回転させる必要があった。
【０００５】
本発明は上記のような課題を解決するためになされたものであって、被測定者の搬送と計量ができるストレッチャー型体重計において、測定作業者の作業効率を向上に寄与する表示器の配置及びそのための構造を提供することを目的とする。
【課題を解決するための手段】
【０００６】
本発明のストレッチャー型体重計は、被測定者を乗せるための担架部と、前記担架部を保持する上部測定フレームとその下方に配置された下部測定フレームとを備える上下一対の測定フレーム、前記上下一対の測定フレームの間に設けられて前記上部測定フレーム並びにこれに掛かる荷重を検出可能な荷重センサ、及び、前記上下一対の測定フレームのうちいずれか一方に支持されて前記荷重センサからの検出信号に基づいて被測定者の体重を演算するとともに当該演算結果を体重測定値として表示可能な表示器を有する測定部と、移動のためのキャスターを有する走行部と、前記測定部と前記走行部との間に設けられて上下方向に伸縮する昇降部とを、備えるものである。
【０００７】
上記構成のストレッチャー型体重計は、昇降部よりも上方に配置された測定フレームに表示器が支持されていることから、測定作業者の足下に表示器が設けられていた従来のストレッチャー型体重計と比較して、表示器の位置が測定作業者に近づくので、表示器の表示内容を視認し易く、さらに、表示器が測定作業者の手の届きやすい範囲内にあるので操作し易い。よって、測定作業者の作業効率の向上に寄与することができる。
【０００８】
さらに、上記構成のストレッチャー型体重計は、荷重センサと表示器とが、同じ測定フレームに取り付けられていて、これらの間に昇降部を介さないので、荷重センサと表示器とを接続する信号線の配線経路が短く、且つ、シンプルとなる。これにより、信号線の配線に掛かるコストを削減することができ、また、信号線の損傷を防止することができる。
【０００９】
また、本発明のストレッチャー型体重計において、前記表示器は、略水平方向に回動可能に設けられていることがよい。
【００１０】
ここで、前記上下一対の測定フレームのうちいずれか一方に固設されて略水平方向に延びるサブフレームと、前記サブフレームに略水平方向に回動可能に設けられたブラケットとを、前記ストレッチャー型体重計に更に備え、前記ブラケットに前記表示器を取り付けることができる。
【００１１】
上記構成のストレッチャー型体重計は、表示器を略水平方向に回転させて、その向きを変化させることができるので、被測定者が寝ているベッドの左側及び右側の何れにストレッチャー型体重計を設置しても、表示器を適宜回転させることによって、測定作業者は表示器の表示内容を視認したり操作したりすることができる。よって、ベッドの向きに応じてストレッチャー型体重計を回転させる必要がなく、測定作業者の作業効率の向上に寄与することができる。
【００１２】
さらに、本発明のストレッチャー型体重計は、前記上下一対の測定フレームのうちいずれか一方に前記表示器と共に支持されて、前記表示器の演算結果を印字出力可能なプリンタを、更に備えることができる。
【００１３】
また、前記表示器は、前記下部測定フレームに支持されていることが望ましい。下部測定フレームは、被測定者の体重測定時に上下動しないので、安定した測定を行うことができる。
【発明の効果】
【００１４】
本発明は、以下に示すような効果を奏する。
【００１５】
本発明によれば、被測定者の搬送と計量ができるストレッチャー型体重計において、測定操作と測定結果の表示を行う表示器が、測定作業者がより視認し易く、且つ、操作し易い位置に配置されるので、測定作業者の作業効率の向上に寄与することができる。
【発明を実施するための最良の形態】
【００１６】
以下、本発明の好ましい実施の形態を図面を参照しながら説明する。なお、以下では全ての図を通じて同一又は相当する要素には同一の参照符号を付して、その重複説明を省略する。
【００１７】
始めに、本実施の形態に係るストレッチャー型体重計１０の概略構成から説明する。図１は本発明の実施の形態１に係るストレッチャー型体重計の全体的な構成を示す側面図、図２はストレッチャー型体重計の平面図である。
【００１８】
図１及び図２に示すように、ストレッチャー型体重計１０は、被測定者を支持する載置台としてベッド状に形成された担架部１１と、担架部１１を支持する台車１２とから構成されている。
【００１９】
（担架部１１の構成）
まず、担架部１１の構成について説明する。担架部１１は、担架部１１に乗せられた被測定者の身長方向（以下、「Ｘ方向」といい、このＸ方向と略直交する水平方向を「Ｙ方向」という。）に長尺なクッション１４と、クッション１４を載せるクッション座１５と、クッション座１５を支持する担架フレーム１６と、担架フレーム１６を支持する基台１７とで構成されている。
【００２０】
クッション座１５は、被測定者の上半身（背中）部分を支持する第１のクッション載置部１５ａと、被測定者の臀部を支持する第２のクッション載置部１５ｂと、被測定者の膝下部分を支持する第３のクッション載置部１５ｃとに、Ｘ方向に３分割して形成されている。なお、第１のクッション載置部１５ａで被測定者の膝下部分を支持し、第３のクッション載置部１５ｃで被測定者の上半身を支持しても構わない。担架フレーム１６は、被測定者のＸ方向に長尺な二本の平行な主桿１６ａ，１６ａと、これらの主桿１６ａ，１６ａの間に架設された複数の接続桿１６ｂ，１６ｂ，，，とを備え、Ｘ方向に延びる梯子状に形成されている。担架フレーム１６のＹ方向の両側の側部には、起こした状態と倒した状態とを切替可能なウイング状のレール１８，１８が設けられている。担架部１１へ被測定者を乗降させるときに、レール１８を倒してベッドの上に重ねると、このレール１８を伝って被測定者をスムースに担架部１１上へ移動させることができる。基台１７は、平面視においてＸ方向に長尺な略矩形枠状に形成されて、この基台１７に担架フレーム１６の適宜位置が支持固定されている。
【００２１】
（台車１２の構成）
次に、台車１２の構成について説明する。担架部１１を支持する台車１２は、荷重センサ及び表示器６２を備えた測定部２０と、移動手段としてのキャスター５６を備えた走行部５０と、測定部２０と走行部５０との間に設けられて上下方向に伸縮する昇降部４０とを備えている。
【００２２】
まず、測定部２０の構成について説明する。測定部２０は、担架部１１の基台１７の下面と接続された上部測定フレーム２１と、昇降部４０の上端と接続された下部測定フレーム２２との、上下一対の測定フレーム２１，２２を備えている。これらの測定フレーム２１，２２は、平面視において略等しい外周形状を有するＸ方向に長尺な略矩形枠状に形成されている。本実施の形態においては、下部測定フレーム２２のＸ方向に延びる２辺は矩形鋼管で形成されており、平面視において、下部測定フレーム２２の内周形状は測定フレーム２１の内周形状と比較してやや小さい。
【００２３】
上部測定フレーム２１と下部測定フレーム２２との間には、荷重センサとしてのロードセルが設けられている。ロードセルは、起歪体３５及び歪みゲージ３６で構成されている。
【００２４】
図３は荷重センサの支持構造を示す図である。図３にも示すように、上部測定フレーム２１のＸ方向に延びる２辺間には、上側ステー３４が架設されており、下部測定フレーム２２のＸ方向に延びる２辺間には、下側ステー３３が架設されている。そして、上側ステー３４に起歪体３５の一端面が固定され、下側ステー３３には起歪体３５の他端面が固定されている。なお、本実施の形態においては、上側ステー３４又は下側ステー３３と起歪体３５とは、ボルトにより螺結されている。
【００２５】
上述の通り上部測定フレーム２１と下部測定フレーム２２との間に設けられた起歪体３５に歪みゲージ３６が貼付されている。この歪みゲージ３６は表示器６２に電気的に接続されている。かかる構成により、起歪体３５に掛かる荷重、即ち、上部測定フレーム２１及びこれに掛かる荷重（上部測定フレーム２１と担架部１１と被測定者とを併せた荷重）を、歪みゲージ３６で検出することができる。このように、荷重センサ（起歪体３５及び歪みゲージ３６）が昇降部４０よりも上方に配置されて、昇降部４０の荷重が荷重センサに掛からないので、昇降部４０よりも下方に荷重センサが配置されたストレッチャー型体重計１０と比較して、より容量の小さい荷重センサを用いることができ、また、荷重センサの数を減らすことができ、製造コストの削減に寄与することができる。
【００２６】
下部測定フレーム２２に、表示器６２とプリンタ６３とが、支持されている。なお、上下一対の測定フレーム２１，２２のうち何れに表示器６２及びプリンタ６３を支持させてもよいが、被測定者の体重測定時に上下動しない下部測定フレーム２２にこれらを支持させることが、安定した測定を行ううえで望ましい。
【００２７】
下部測定フレーム２２のＸ方向の一方の端面には、略水平方向に延びる平面視略Ｕ字状のユーティリティフレーム６１が一体的に固設されている。このユーティリティフレーム６１は、ストレッチャー型体重計１０の体重測定機能及び被測定者の支持には直接に関与しないサブフレームであって、表示器６２及びプリンタ６３の他に、測定時にストレッチャー型体重計１０の水平状態を確認するための水平器２４が設けられており、さらに、用途に応じて袋やその他測定に必要な物を吊り下げたり取り付けたりすることができる。ユーティリティフレーム６１は、測定フレーム２１に設けることもできるが、ユーティリティフレーム６１及びこれに取り付けられた付属物の荷重が荷重センサで検出されない点で下部測定フレーム２２に設けることが望ましい。
【００２８】
図４は表示器及びその支持構造を示す図、図５は図４におけるＶ−Ｖ矢視端面断面図である。図４及び図５にも示すように、ユーティリティフレーム６１には、表示器支持板６６がＹ方向に架設されている。この表示器支持板６６の平面視略中央部には、ブラケット取付用孔６６ａが穿設されている。このブラケット取付用孔６６ａには、上部開口にフランジ６４ａが形成された短管状の支持軸６４が略垂直方向に挿入されている。この支持軸６４の下部開口には、表示器６２及びプリンタ６３が取り付けられたブラケット６７が固定されている。ここで、支持軸６４のフランジ６４ａとブラケット６７との間には表示器支持板６６が介在している。そして、支持軸６４のフランジ６４ａと、表示器支持板６６との間には、スラストベアリング６５が設けられている。かかる構成により、表示器支持板６６に対して支持軸６４が略水平方向に自在に回動可能となり、換言すれば、支持軸６４に固定されたブラケット６７が略水平方向に回動可能となっている。
【００２９】
上述の通り、ユーティリティフレーム６１に略水平方向に回動可能に設けられたブラケット６７を備え、このブラケット６７に表示器６２とプリンタ６３とが共に取り付けられている。よって、表示器６２及びプリンタ６３は、共に略水平方向に回動可能であり、その向きを略水平方向に変化させることができる。なお、表示器６２とプリンタ６３とは、それぞれ独立して回動する別体のブラケットに取り付けることもできるが、表示器６２とプリンタ６３との間の配線を簡略化するために、一つのブラケット６７にこれらを設けることが望ましい。
【００３０】
ここで、表示器６２と歪みゲージ３６を電気的に接続している信号線７１は、管状の支持軸６４の中に遊挿されている。かかる構成により、ブラケット６７に取り付けられた表示器６２が表示器支持板６６に相対して回動する際に、信号線７１に掛かる捻れや引っ張りなどの負荷が軽減され、信号線７１の損傷を防止することができる。
【００３１】
さらに、表示器支持板６６には、ブラケット６７へ押し付けるように付勢されたボール６９ａを備えたボールプランジャ６９が設けられ、ボール６９ａと当接するブラケット６７の適宜位置（例えば、４５度ごと）にはボール６９ａが嵌り込む係止穴（図示略）が複数形成されている。かかる構成により、表示器支持板６６に対して略水平方向に回動するブラケット６７を適宜位置に位置決めすることができる。なお、表示器支持板６６には、所定の基準位置から１８０度回動した状態のブラケット６７が当接するように、下方へ突出する回動規制部材６８が設けられている。この回動規制部材６８により、ブラケット６７は所定角度（ここでは１８０度）以上回動しないように、その回動範囲が規制されている。
【００３２】
また、上部測定フレーム２１と下部測定フレーム２２との間には、これらの略鉛直方向及び略水平方向への相対的な移動量を規制するストッパが設けられている。
【００３３】
図６は測定フレームのストッパ構造を説明する平面図、図７は図６におけるVII−VII矢視断面図、図８は図６におけるVIII−VIII矢視断面図である。図６〜８にも示すように、下部測定フレーム２２には、略水平面部３１ａと略垂直面部３１ｂを有する断面右回転略Ｌ字状の規制部材ステー３１が、Ｘ方向に延びる２辺間に架設されている。ここで、規制部材ステー３１の水平面部３１ａは、下部測定フレーム２２よりも上方へ突出している。一方、上部測定フレーム２１には、規制部材ステー３１の水平面部３１ａと上下方向に略重複する位置に板状の規制板３２が、Ｘ方向に延びる２辺間に架設されている。このように、規制部材ステー３１の水平面部３１ａが、規制板３２の上方に位置するように、規制部材ステー３１と規制板３２との位置関係が定められている。さらに、規制部材ステー３１の略水平面部３１ａには、第一当接部材７３，７３が設けられている。ここで、第一当接部材７３はボルト及びナットで構成され、ボルトに対するナットの相対位置を変更することによって、第一当接部材７３と規制板３２との距離を微量に調節できるようにされている。かかる構成により、上部測定フレーム２１と下部測定フレーム２２とが所定の距離以上に上下方向に離れようとすると、第一当接部材７３と規制板３２が当接する。
【００３４】
また、下部測定フレーム２２の上面であって、規制板３２と上下方向に重複する位置に第二当接部材７４，７４が設けられている。ここで、第二当接部材７４はボルト及びナットで構成され、ボルトに対するナットの相対位置を変更することによって、第二当接部材７４と規制板３２との距離を微量に調節できるようにされている。かかる構成により、上部測定フレーム２１と下部測定フレーム２２とが所定の距離以上に上下方向に近づこうとすると、第二当接部材７４と規制板３２が当接する。このように、第一当接部材７３と第二当接部材７４及び規制板３２により、上部測定フレーム２１と下部測定フレーム２２との上下方向の相対的な移動量が規制されている。
【００３５】
さらに、規制部材ステー３１の垂直面部３１ｂには、筒体３１ｃが一体的に設けられている。この筒体３１ｃには、第三当接部材７５が設けられている。この第三当接部材７５は、規制部材ステー３１からＹ方向に突出し、上部測定フレーム２１のＸ方向に延びる辺の内周面と対峙している。なお、第三当接部材７５はボルト及びナットで構成され、ボルトに対するナットの相対位置を変更することによって、第三当接部材７５と上部測定フレーム２１の内周面との距離を微量に調節できるようにされている。かかる構成により、上部測定フレーム２１と下部測定フレーム２２とがＹ方向に所定の距離以上に相対的に移動すると、第三当接部材７５と上部測定フレーム２１の内周面と当接する。このように、第三当接部材７５と上部測定フレーム２１とにより、上部測定フレーム２１と下部測定フレーム２２とのＹ方向（略水平方向）の相対的な移動量が規制されている。
【００３６】
続いて、走行部５０の構成を説明する。走行部５０は、平面視略Ｈ字状に組まれた鋼材で成る走行フレーム５５を備えている。走行フレーム５５の略Ｈ字の４つの各自由端部には、方向規制機能を備えたキャスター５６が設けられている。さらに、走行フレーム５５には、２本のブレーキペダル５７，５７が設けられている。このブレーキペダル５７を操作することにより、ブレーキペダル５７に連動するブレーキシュー（図示略）がＸ方向に並ぶ２つのキャスター５６，５６に当接し、これらのキャスター５６，５６の運動が同時に制止される。
【００３７】
次に、昇降部４０の構成を説明する。昇降部４０は、Ｘ方向に並ぶ２つの昇降リンク４１，４１で構成された平行リンクと、これらの昇降リンク４１，４１を連動させる連動アーム４４と、昇降リンク４１，４１を上下方向に伸縮させるためのアクチュエータとしての直動ジャッキ４５と、直動ジャッキ４５を操作する昇降操作ハンドル４３とを備えている。
【００３８】
各昇降リンク４１は、走行フレーム５５に下端が固定された下部アーム４１ａと、下部測定フレーム２２と上端が固定された上部アーム４１ｃと、一端を下部アーム４１ａに他端を上部アーム４１ｃにそれぞれ回動可能に連結された中間アーム４１ｂとで構成されている。２つの昇降リンク４１，４１の２つの中間アーム４１ｂ，４１ｂには、連動アーム４４の両端がそれぞれ回動可能に連結され、このうち一方の中間アーム４１ｂと連動アーム４４との連結部には、直動ジャッキ４５から進退動作する伸縮アーム４６の端部が回動可能に連結されている。直動ジャッキ４５の操作軸４７は、ユニバーサル継手を介して接続された引き出し軸４８を介して、ストレッチャー型体重計１０のＸ方向の端部に位置する昇降操作ハンドル４３と連結されている。かかる構成により、昇降操作ハンドル４３を正転又は逆転させることにより、直動ジャッキ４５から伸縮アーム４６が進退して、この伸縮アーム４６に連結された昇降リンク４１，４１が略垂直方向に伸張又は短縮する。このようにして、台車１２の昇降部４０が伸縮することで、担架部１１を昇降リンク４１，４１の伸縮可能範囲内で自在に昇降させて、クッション１４の上下方向位置を調整することができる。
【００３９】
（体重測定機構）
ここで、ストレッチャー型体重計１０の体重測定機構について説明する。昇降部４０に備えられた歪みゲージ３６の検出信号は、信号線７１を介して表示器６２に入力される。この信号線７１は、歪みゲージ３６から、下部測定フレーム２２の内側及びユーティリティフレーム６１を伝い、さらに、表示器支持板６６のブラケット取付用孔６６ａに挿入された支持軸６４の軸部の空洞を通って、表示器６２まで配線されている。このように、荷重センサ（起歪体３５及び歪みゲージ３６）と表示器６２とが、同じ下部測定フレーム２２に取り付けられていて、これらの間に昇降部４０を介さないので、荷重センサと表示器６２とを接続する信号線７１の配線経路が短く、且つ、シンプルとなる。これにより、信号線７１の配線に掛かるコストを削減することができ、また、信号線７１の損傷を防止することができる。
【００４０】
表示器６２は、測定操作を入力するための操作入力部と、歪みゲージ３６からの検出信号に基づいて被測定者の体重を演算する演算部と、演算部の演算結果を体重測定結果として表示する表示部などを備えている。なお、演算部は、ＣＰＵを中心とするマイクロプロセッサとして構成されており、ＣＰＵの他に処理プログラムを記憶するＲＯＭと、データを一時的に記憶するＲＡＭと、年月日時分秒を計測するクロック回路と、入出力ポートとを備えている。この入出力ポートから演算部へ、歪みゲージ３６からの検出信号、操作入力部からの操作信号などが入力される。また、入出力ポートからは、表示部への体重測定結果を含む表示データ、プリンタ６３への測定日時と体重測定結果を含む印字データなどが出力される。
【００４１】
（体重測定作業の手順）
ここで、上記構成のストレッチャー型体重計１０を用いた被測定者の体重測定作業の手順を説明する。
【００４２】
まず、測定作業者は、ストレッチャー型体重計１０の走行部５０に設けられたブレーキペダル５７，５７をブレーキを解除する方向に操作して、被測定者が横たわっているベッドサイドにストレッチャー型体重計１０を移動させる。そして、測定作業者は、再びブレーキペダル５７，５７を操作して、キャスター５６，５６，，にブレーキを掛けて、ストレッチャー型体重計１０を制止させる。ここで、測定作業者は水平器２４でストレッチャー型体重計１０の水平状態を確認する。
【００４３】
次に、測定作業者は、昇降部４０の昇降操作ハンドル４３を操作して、昇降リンク４１，４１を伸縮させることにより、担架部１１のクッション１４の高さが、被測定者が横たわっているベッドの高さと略同じとなるように調整する。そして、被測定者側のレール１８を略水平となるように倒して、ベッドと担架部１１のクッション１４とをレール１８で橋渡しする。この状態で、被測定者をベッドから担架部１１のクッション１４の上へ移動させる。
【００４４】
続いて、測定作業者は、測定部２０に設けられた表示器６２を回転させて表示器６２の向きを操作し易い方向に合わせるとともに、表示器６２を操作して、ストレッチャー型体重計１０で被測定者の体重を測定する。ここで、本発明に係るストレッチャー型体重計１０では、台車１２の昇降部４０よりも上方に配置された測定部２０に表示器６２が設けられている。このようなストレッチャー型体重計１０は、測定作業者の足下（走行フレーム５５に相当する位置）に表示器が設けられていた従来のストレッチャー型体重計と比較して、表示器６２の位置が測定作業者に近づくので、表示器６２の表示内容を視認し易く、さらに、表示器６２は測定作業者の手の届きやすい範囲内にあるので操作し易い。よって、測定作業者の作業効率の向上に寄与することができる。
【００４５】
さらに、上記構成のストレッチャー型体重計１０では、表示器６２を略水平方向に回転させて、その向きを変化させることができるので、被測定者が寝ているベッドの左側及び右側の何れにストレッチャー型体重計１０を設置しても、表示器６２を適宜回転させることによって、測定作業者は表示器６２の表示内容を視認したり操作したりすることができる。
【００４６】
被測定者の体重の測定結果が確定すると、必要に応じて測定結果がプリンタ６３で印字出力される。そして、測定作業者は、再びレール１８を伝って被測定者をベッドの上に移動させて、被測定者の体重測定作業を終了する。
【産業上の利用可能性】
【００４７】
本発明に係るストレッチャー型体重計の操作部の構造は、患者の搬送と計量ができるストレッチャー型の体重計において、担架部、昇降部、及び走行部の構造が幾分異なれども広く適用させることができる。
【図面の簡単な説明】
【００４８】
【図１】本発明の実施の形態１に係るストレッチャー型体重計の全体的な構成を示す側面図である。
【図２】ストレッチャー型体重計の平面図である。
【図３】荷重センサの支持構造を示す図である。
【図４】表示器及びその支持構造を示す図である。
【図５】図４におけるＶ−Ｖ矢視端面断面図である。
【図６】測定フレームのストッパ構造を説明する平面図である。
【図７】図６におけるVII−VII矢視断面図である。
【図８】図６におけるVIII−VIII矢視断面図である。
【符号の説明】
【００４９】
１０  ストレッチャー型体重計
１１  担架部
１２  台車
１４  クッション
１５  クッション座
１６  担架フレーム
１７  基台
１８  レール
２０  測定部
２１  上部測定フレーム
２２  下部測定フレーム
２４  水平器
３５  起歪体（荷重センサ）
３６  歪みゲージ（荷重センサ）
４０  昇降部
４１  昇降リンク
４３  昇降操作ハンドル
４４  連動アーム
４５  直動ジャッキ
５０  走行部
５５  走行フレーム
５６  キャスター
６１  ユーティリティフレーム（サブフレーム）
６２  表示器
６３  プリンタ
６４  支持軸
６５  スラストベアリング
６６  表示器支持板
６７  ブラケット
【図１】
0005086165.tif 000002
【図２】
0005086165.tif 000003
【図３】
0005086165.tif 000004
【図４】
0005086165.tif 000005
【図５】
0005086165.tif 000006
【図６】
0005086165.tif 000007
【図７】
0005086165.tif 000008
【図８】
0005086165.tif 000009